(57)【要約】【解決手段】  本発明は、頭髪処理剤、特に頭髪染色製品を混合するためのシェル体に関し、このシェル体が、底部２、開口部４を形成する周囲に延在する壁部３、および、製品識別体のため、特にこの頭髪処理剤の周囲包装の部材のための保持部６を有している。【選択図】      図１
2008522774.tif 000002
【特許請求の範囲】
【請求項１】
頭髪処理剤、特に頭髪染色製品を混合するためのシェル体であって、このシェル体が、
底部（２）、開口部（４）を形成する周囲に延在する壁部（３）、および、製品識別体のため、特にこの頭髪処理剤の周囲包装の部材のための保持部（６）を有することを特徴とするシェル体。
【請求項２】
保持部（５）は、クランプ装置（５、７、８）として形成されていることを特徴とする請求項１に記載のシェル体。
【請求項３】
保持部（６）は、シェル体（１）の一体的な構成要素であることを特徴とする請求項１または２に記載のシェル体。
【請求項４】
少なくとも開口部（４）の領域の周囲において、縁部（５）を有していることを特徴とする請求項１から３のいずれか一つに記載のシェル体。
【請求項５】
縁部は、開口部（４）の周囲に延在する縁部（５）であることを特徴とする請求項４に記載のシェル体。
【請求項６】
縁部（５）は、開口部（４）を、完全に囲繞していることを特徴とする請求項５に記載のシェル体。
【請求項７】
クランプ装置（５、７、８）は、縁部（５）によって形成されていることを特徴とする請求項４から６のいずれか一つに記載のシェル体。
【請求項８】
縁部（５）は、クランプ装置（５、７、８）の形成のために、残りの縁部の面（１１）に対して、２つのスリット（８）によって分離された可撓性の舌状片（７）を有していることを特徴とする請求項７に記載のシェル体。
【請求項９】
舌状片（７）は、残りの縁部（５）の面（１１）に対して位置ずれされていることを特徴とする請求項８に記載のシェル体。
【請求項１０】
舌状片（７）の位置ずれは、ほぼ縁部（５）の厚さに相応していることを特徴とする請求項９に記載のシェル体。
【請求項１１】
縁部（５）を製造するための材料は、使用される厚さにおいて弾性的であることを特徴とする請求項４から１０のいずれか一つに記載のシェル体。
【請求項１２】
縁部（５）は、少なくとも２つの異なる幅の領域（９、１０）を有していることを特徴とする請求項４から１１のいずれか一つに記載のシェル体。
【請求項１３】
クランプ装置（５、７、８）は、より大きな幅を有する領域（９）内において設けられていることを特徴とする請求項１２に記載のシェル体。
【請求項１４】
同じ幅の領域（９；１０）は、開口部（４）の相対して位置している側に設けられていることを特徴とする請求項１２または１３に記載のシェル体。
【請求項１５】
縁部（５）は、軽微に湾曲されて構成されていることを特徴とする請求項４から１４のいずれか一つに記載のシェル体。
【請求項１６】
シェル体（１）の底部（２）は、内方へと陥入されていることを特徴とする請求項４から１５のいずれか一つに記載のシェル体。
【請求項１７】
底部（２）は、下側面において、ゴム要素（１２）を備え付けられていることを特徴とする請求項１から１６のいずれか一つに記載のシェル体。
【請求項１８】
壁部（３）の内側面は、少なくとも１つの分量スケール（１６）を、中身のための備え付けられていることを特徴とする請求項１から１７のいずれか一つに記載のシェル体。
【請求項１９】
分量スケール（１６）は、この分量スケールが、シェル体（１）の製造の際に、壁部の内側面内へと形成されるように構成されていることを特徴とする請求項１８に記載のシェル体。
【請求項２０】
シェル体は、このシェル体が積み重ね可能であるように寸法を設定され、且つ形を整えられていることを特徴とする請求項１から１９のいずれか一つに記載のシェル体。
【発明の詳細な説明】
【技術分野】
【０００１】
本発明は、頭髪処理剤、特に頭髪染色製品を混合するためのシェル体であって、このシェル体が、
底部、開口部を形成する周囲に延在する壁部、および、製品識別体のため、特にこの頭髪処理剤の周囲包装（Umverpackung）の部材のための保持部を有する様式の上記シェル体に関する。
【背景技術】
【０００２】
頭髪を、例えば保護剤、薬剤、脱色剤、または頭髪染色剤もしくは調色剤のような、混合されるべき頭髪処理剤でもって処理することは、しばしば必要であり、及び／または所望される。この目的で、プロフェショナルの分野において、大抵、リサイクル可能な合成物質から成る使い捨てシェル体が使用される。
【０００３】
従って、頭髪の染色の際に、プロフェショナルの分野において、しばしば、異なる色彩のニュアンス、および色相でもって作業される。その際、概観を、混ぜ合わされた異なる色彩混合を介して保持することが必要である。このことは、しかしながら、しばしば困難性をもたらす。何故ならば、製品が、しばしば類似の外観を有しているからである。
このような様式の装置に関して、記載すべき先行技術文献情報はない。
【発明の開示】
【発明が解決しようとする課題】
【０００４】
従って、本発明の根底をなす課題は、そのシェル体内において、頭髪処理剤、特に頭髪染色製品が混合され得、且つ、そのシェル体が、そのシェル体内における混合された製品の容易な識別を許容する、該シェル体を提供することである。それに加えて、このシェル体は、頭髪処理剤の正確な混合を、適量以上の配分無しに許容すべきである。同様にこのシェル体は、簡単に貯蔵、および製造され得るべきである。
【課題を解決するための手段】
【０００５】
この課題は、請求項１において与えられた発明によって解決される。
【発明の効果】
【０００６】
頭髪処理剤、特に頭髪染色製品のための本発明によるシェル体は、底部、開口部を形成する周囲に延在する壁部を有している。付加的に、このシェル体は、この頭髪処理剤、特に頭髪染色製品の周囲包装の部材のための（製品識別体のための）保持部を備えており、従って、理髪師が、製品の周囲包装の識別された部片を、このシェル体に固定可能である。この部片は、大抵、例えば色彩のニュアンスまたは色相を与える包装の部材である。
【０００７】
比較的に簡単な固定のために、保持部は、この目的で、有利には、クランプ装置として形成されている。このクランプ装置は、種々の形態を採用可能である。従って、例えば、
小さな鰐口クランプまたはこれに類する物が、このシェル体に付着されていることも可能である。
【０００８】
特に、しかしながら、保持部即ちクランプ装置が、シェル体の一体的な構成要素である場合、即ち１つの部材から成るようにこのシェル体と形成されている場合に有利である。
【０００９】
１つの実施形態において、シェル体は、少なくとも、開口部の領域の周囲において、縁部を有している。この縁部は、この開口部の周囲に延在する縁部であり、その際、この縁部が、同様にこの開口部を、完全に、またはただ部分的だけに囲繞していることは可能である。有利には、この場合、クランプ装置は、この縁部によって形成されている。従って、シェル体と一緒のこのクランプ装置の簡単な製造が可能である。
【００１０】
特に、縁部は、クランプ装置の形成のために、残りの縁部の面に対して、２つのスリットによって分離された可撓性の舌状片を有している。その場合に、製品識別体は、事務用クリップの様式で、この舌状片と縁部との間で挟み込まれる。
【００１１】
舌状片が、残りの縁部の面に対して位置ずれされている場合、比較的に厚い材料（例えば、厚紙）から成る周囲包装の部材は、製品識別体として挿入、もしくは挟み込みされる。同様にこの舌状片は、その場合に折れない。有利には、この舌状片の位置ずれは、ほぼこの縁部の厚さ、即ちこの縁部の材料厚さ、または差し込まれる得る識別体に相応している。この縁部を製造するための材料が、使用される厚さにおいて弾性的であり、従って、折り取りの危険が少なくとも回避されている場合、それに加えて有利である。同様に、舌状片が、縁部へと上昇し、且つ従ってこの位置ずれを軽微に最低限に抑える場合、良い影響がもたらされる。
【００１２】
更に別の実施形態により、縁部は、少なくとも２つの異なる幅の領域を有している。一方の領域は、小さな幅を有し、且つ、他方の領域が、より大きな幅を有している。このより大きな幅の領域は、その場合に、グリップとして使用され得る。有利には、同じ幅の領域が、開口部の相対して位置している側に設けられている。その際、クランプ装置は、より大きな幅を有する領域内において設けられていることは可能である。
【００１３】
縁部が、良好にグリップ可能であるために、この縁部は、軽微に湾曲されて構成されていることは可能である。従って、この縁部は、例えば、凸状、または凹状に形を整えられており、即ち、この縁部が、このシェル体の開口部を出発点として、僅かに下方または上方へと湾曲されている。
【００１４】
シェル体の底部が、内方へと陥入されている場合、製品をこのシェル体から完全に取出すことは、比較的に簡単である。
【００１５】
滑り防止のために、底部は、下側面に、ゴム要素、またはこれに類する物を備え付けられている。
【００１６】
有利には、シェル体の壁部の内側面は、分量スケールを、このシェル体の中身のために備え付けられており、従って、混合されるべき製品が、付加的な補助無しに、このシェル体自体内において、測定、もしくは適量の配分がされ、且つ、完成した状態に混合される。段階付けが、２重に、この内側面に設けられていることは有意義である。この分量スケールは、有利な方法で、このシェル体の製造の際に、この壁部の内側面内へと形成される。従って、例えば、これらスケールは、製造の際に、型をとって造られ、または型押し込みされる。
【００１７】
有利には、上記されたシェル体は、このシェル体が積み重ね可能であるように、即ち、多数のシェル体が、互いに差し込まれた状態において、個別に配設されたシェル体よりも僅かの空間を要求する積み重ね体を形成するように、寸法を設定され、且つ形を整えられている。
【００１８】
本発明の更なる特徴、詳細および利点は、図に基づく実施例の以下の説明から与えられる。
【発明を実施するための最良の形態】
【００１９】
図内において図示された、頭髪染色剤を混合するためのシェル体は、全体として、符号１でもって参照符号を付けられており、且つ、底部２、および、この底部から上方へと広がる、周囲に延在する壁部３から形成されている。この全シェル体１、およびこのシェル体の構成要素は、１つの部材から成るように、僅かな強度、もしくは厚さの適当な合成物質材料から、例えば、合成物質薄板からの深絞り、または合成物質粒状物質からの射出成形によって製造されている。
【００２０】
底部２は、ほぼ円形の断面を有している。壁部３は、従って断面で見て、ほぼ逆立ちしている円錐台の形状を有している（図５参照）。
【００２１】
底部２は、その際、内方へと陥入されており、且つ、断面において、ほぼ凸状の形状を有しており、従って、シェル体内における頭髪染色剤が、この底部に対して傾斜された状態で、この底部２と壁部３との間の移行部の領域内において集められる（anzusammeln）。このことは、簡単な、且つ可能な限り完全な取出しを許容する。この底部２は、下側面内において、周囲に延在する溝部１３を有しており、この溝部内へと、ゴム製挿入体１２が挿入されており、従って、このシェル体１は、混合の際に、滑って位置がずれることはない。
【００２２】
壁部３は、上側面において、同様にほぼ円形の断面を有する開口部４を形成している。この開口部４から、外方へと、周囲を取り囲んでいる縁部５が延在しており、この縁部は、外方へと、逓増する状態で軽度に上方へと湾曲されている。
【００２３】
縁部５は、異なる厚さの領域を有している。同じ厚さの領域は、その際、開口部４の相対して位置している側面に存在している。比較的に大きな幅を有する２つの領域９は、図２内において見て、それぞれに、左側および右側に位置しており、および、比較的に小さな幅を有する２つの領域１０が、この図２において見て、上側および下側に位置している。上方への軽度の湾曲に基づいて、これら比較的に大きな幅を有する領域９は、良好に、手でもって掴むことが可能であり、且つ、グリップ部として役割を果たす。この目的で、これら領域９は端側面１４を備え付けられており、これら端側面が、それぞれに１つの、軽度にこの開口部４に向かって湾曲された縁部を有している。
【００２４】
縁部５内において、頭髪染色剤の周囲包装のための部材のクランプ装置の様式の保持部６が形成されている。この目的で、有利には、周囲包装のための部材が使用され、この部材の上に、色彩のニュアンス、または色相の記載事項が表示されている。この部材、大抵、厚紙から成る小さな矩形体は、このクランプ装置内へとクリップの様式で挟み込まれ、従って、これら記載事項は、上方から良好に目視可能である。
【００２５】
図示された実施例において、これら領域９の内の１つの領域の保持部６は、比較的に大きな幅を有して設けられている。この保持部は、尖っていない端側面１４と領域１０との間で、比較的に小さな幅を有しており、従って、シェル体１を、それにも拘らず良好に掴むことが可能である。
【００２６】
保持部６は、可撓性の舌状片７によって形成されており、この舌状片が、２つのスリット８によって、残りの縁部５から分離されており、且つ、この残りの縁部の面１１に対して、下方へと底部２に向かって位置ずれされている。この残りの縁部５に対する舌状片７の位置ずれは、ほぼ、この縁部５の厚さ、即ち、この縁部５の領域内において使用されている材料の厚さに相応している。この舌状片７は、従って、ただ「屈曲された」領域１５だけを介して、可撓的に残りの縁部５と結合されており、しかしながら、この残りの縁部と１つの部材から成るように形成されている。従って、この舌状片は、軽微な押圧のもとで、厚紙から成る矩形体の挟み込みの際に、下方へと、底部２の方向において撓み可能であり、且つ、この厚紙部片が、弾性的に、自体と縁部５との間に、屈折すること無く挟み込まれ得る。
【００２７】
壁部３の内側面に、更に、分量スケール１６が型押し込みされており、この分量スケールは、頭髪染色剤の測定、適量の配分、および希釈を、更に別の補助手段無しに許容する（図１および５参照）。この分量スケールは、シェル体１の製造の際に、型押し込みされる。
【００２８】
図５内において、シェル体１が、このシェル体１が、例えば保管および包装のために、良好な空間利用のもとで、同じ大きさおよび形態の更に別のシェル体の上に、積み重ね可能であるように寸法を設定されており、且つ形を整えられていることが認められる。
【図面の簡単な説明】
【００２９】
【図１】斜め上からの、本発明のシェル体の透視図である。
【図２】上からの、図１のシェル体の平面図である。
【図３】下からの、図１のシェル体の平面図である。
【図４】図３内における線ＩＶ−ＩＶに沿っての、断面の側面図である。
【図５】図２内における線Ｖ−Ｖに沿っての、断面図における、図１の２つのシェル体の積み重ねの図である。
【符号の説明】
【００３０】
１    シェル体
２    底部
３    壁部
４    開口部
５    縁部
６    保持部
７    舌状片
８    スリット
９    領域
１０  領域
１１  縁部の面
１２  ゴム製挿入体
１３  溝部
１４  端側面
１５  屈曲された領域
１６  分量スケール
【図１】
2008522774.tif 000003
【図２】
2008522774.tif 000004
【図３】
2008522774.tif 000005
【図４】
2008522774.tif 000006
【図５】
2008522774.tif 000007
【国際調査報告】
2008522774.tif 000008
2008522774.tif 000009
2008522774.tif 000010
2008522774.tif 000011
2008522774.tif 000012
2008522774.tif 000013